(57)【要約】【課題】サポート３ａに対してキャリパ４ａを軸方向の変位を可能に支持する為の構造を工夫して、小型・軽量且つ低コストで造れる構造を実現する。【解決手段】前記キャリパ４ａに設けた一対のガイド腕部１７、１７の先端部にそれぞれ、軸方向両側面に加えてこの軸方向に対し直角方向にも開口するガイド凹部１８、１８を形成する。そして、これら両ガイド凹部１８、１８に、前記サポート３ａに固定した一対のガイドピン５ａ、５ａの軸方向の一部を、軸方向の変位を可能に内嵌する。又、前記キャリパ４ａのアウタ側端部に固定したアウタパッド９ａの回入側及び回出側に設けた一対のガイド切り欠き２９と、前記サポート３ａに固定した一対のアンカピン１３とを係合させて、前記キャリパ４ａの姿勢を安定させる。【選択図】図１
2010127326.tif 000002
【特許請求の範囲】
【請求項１】
車輪と共に回転するロータと、このロータのインナ側面に対向する状態で車体に固定されるサポートと、軸方向の変位を可能としてこのサポートに支持されたインナパッドと、このサポートの回入側と回出側とに、それぞれインナ側に突出する状態で設けられた一対のガイドピンと、回入側と回出側とに突出した一対のガイド腕部の先端部とこれら両ガイドピンとを軸方向の変位を可能に係合させる事により前記サポートに、軸方向の変位を可能に支持されたキャリパと、前記ロータを挟んで前記インナパッドと対向する部分に、軸方向の変位を可能に支持されたアウタパッドとを備えたフローティングキャリパ型ディスクブレーキに於いて、前記両ガイド腕部の先端部にそれぞれ、軸方向両側面に加えてこの軸方向に対し直角方向にも開口するガイド凹部を形成しており、前記両ガイド腕部のガイド凹部に前記両ガイドピンの軸方向の一部を、軸方向の変位を可能に内嵌している事を特徴とするフローティングキャリパ型ディスクブレーキ。
【請求項２】
前記両ガイド凹部に、それぞれが弾性及び耐食性を有する板材製である一対のパッドクリップを装着しており、前記両ガイド凹部と前記両ガイドピンとを、これら両パッドクリップを介して係合させている、請求項１に記載したフローティングキャリパ型ディスクブレーキ。
【請求項３】
前記キャリパの回入側と回出側とに、それぞれアウタ側に突出する状態で一対のアンカピンを設け、これら両アンカピンの先端寄り部分と、前記アウタパッドの回入側、回出側両端部に形成したガイド切り欠きとを、軸方向の変位を可能に係合させている、請求項１〜２のうちの何れか１項に記載したフローティングキャリパ型ディスクブレーキ。
【請求項４】
前記両ガイドピンと前記両アンカピンとが、同軸且つ互いに一体であり、これら両ガイドピンと両アンカピンとの連続部に形成された雄ねじ部を前記サポートの回入側と回出側とに設けたねじ孔に螺合し更に締め付ける事により、前記両ガイドピン及び前記両アンカピンを前記サポートに固定している、請求項３に記載したフローティングキャリパ型ディスクブレーキ。
【請求項５】
前記アウタパッドを構成するプレッシャプレートを前記キャリパのアウタ側端部に結合固定しており、このアウタパッドに基端部を係止した第二のパッドクリップの先端部により、前記インナパッドの外径側端縁を弾性的に押圧している、請求項１〜４のうちの何れか１項に記載したフローティングキャリパ型ディスクブレーキ。
【発明の詳細な説明】
【技術分野】
【０００１】
この発明は、自動車の制動に使用するフローティングキャリパ型ディスクブレーキの改良に関する。具体的には、小型・軽量且つ低コストで造れるフローティングキャリパ型ディスクブレーキの実現を意図したものである。
【背景技術】
【０００２】
自動車の制動装置として、ディスクブレーキが広く使用されている。ディスクブレーキとして大きく分けて、対向ピストン型とフローティングキャリパ型とがある。このうちのフローティングキャリパ型のディスクブレーキは、固定のサポートに、キャリパ及び一対のパッドを、軸方向の変位を可能に支持している。そして、制動時には、このキャリパのインナ側部分に設けたシリンダ部に嵌装したピストンと、このキャリパのアウタ側端部に設けたキャリパ爪とにより、前記両パッドを前記ロータの両側面に押し付ける。この様なフローティングキャリパ型のディスクブレーキは、対向ピストン型のディスクブレーキに比べて安価に製作できる為、一般的な乗用車を中心に使用されている。この様なフローティングキャリパ型のディスクブレーキとして従来から、例えば特許文献１〜６に記載されている様な、各種構造のものが知られている。尚、特に断らない限り、本明細書及び特許請求の範囲で、軸方向、径方向、周方向とは、それぞれロータに関しての、軸方向、径方向、周方向を言う。
【０００３】
例えば特許文献３には、図１４〜１５に示す様に、１枚のサポートプレート１と一対のアンカブロック２、２とから成るサポート３にキャリパ４を、一対のガイドピン５、５により軸方向の変位を可能に支持した構造が記載されている。制動時には、前記キャリパ４のインナ側（車体への組み付け状態で幅方向内側、反対に幅方向外側をアウタ側と言う。本明細書及び特許請求の範囲全体で同じ。）に設けたシリンダ部６内に圧油を送り込み、このシリンダ部６に内嵌したピストンと、前記キャリパ４のアウタ側端部に設けたキャリパ爪７との間で、インナパッド８とアウタパッド９とを、車輪と共に回転するロータ１０（後述する本発明の実施の形態を示す、図２〜５参照）の両側面に押し付ける。この様な特許文献３に記載された構造は、従前の構造に比べれば軽量且つ低コストに造れるが、より一層の小型・軽量化を図る面からは、改良の余地がある。この点に就いて、以下に説明する。
【０００４】
前記図１４〜１５に示した従来構造の場合、前記両ガイドピン５、５を前記サポート３に設けた一対のガイド孔に挿入する事により、前記キャリパ４をこのサポート３に対し、軸方向の移動を可能に支持している。この様な構造の場合、前記両ガイド孔が周囲を囲まれた構造であり、一度これら両ガイド孔と前記両ガイドピン５、５との摺動部に、雨水や塵芥等の異物が入り込むと、この異物がそのままの位置に止まって、この摺動部の作動を不良にする可能性がある。この様な不都合の発生を防止する為に前記従来構造の場合には、前記両ガイドピン５、５の軸方向中間部周囲にゴム製のブーツ１１、１１を配置すると共に、これら両ブーツ１１、１１の両端部を、前記キャリパ４と前記サポート３とに結合して、前記摺動部への異物の進入防止を図っている。
【０００５】
この様な従来構造の場合には、前記両ブーツ１１、１１が必要になる分、部品製作、部品管理、組立作業が煩雑になり、コスト低減の面から不利になる。又、前記両ガイド孔は、前記サポート３の一部（サポート側にガイドピンを設ける場合にはキャリパの一部）に、軸方向に貫通する貫通孔として、或はガイドピンの設置側にのみ開口する有底孔（袋孔）として形成する。そして、貫通孔の場合には、ガイドピンを設置した側と反対側の開口部にも、ブーツ或はキャップ等の第二のシール構造物を設けたり、ガイド孔の内周面を耐食材製のスリーブにより覆う必要があり、コスト面からの不利が著しくなる。これに対して、有底孔の場合には、前記第二のシール構造物が不要になる代わりに、前記両ガイド孔の軸方向長さ（深さ）を十分に確保する必要があり、小型・軽量化及び低コスト化や防錆性の面から不利になる。
【０００６】
このうち、小型・軽量化及び低コスト化を妨げられる理由は、前記両ガイド孔の軸方向寸法が嵩む為である。即ち、これら両ガイド孔の軸方向寸法は、前記インナパッド８及びアウタパッド９を構成するライニング１２ａ、１２ｂの厚さが十分に大きい場合（新品時）から、前記両ガイドピンと前記両ガイド孔との係り代、即ち、これら両ガイド孔に対するこれら両ガイドピンの挿入量を確保して、前記サポートに対する前記キャリパの支持剛性を確保し、しかも、前記両ライニング１２ａ、１２ｂが摩耗した場合にも、これら両ガイドピンの先端面が前記両ガイド孔の奥端面に突き当たらず、前記サポートに対して前記キャリパが軸方向に変位し得る様に、十分に大きくする必要がある。この様な理由により、前記両ガイド孔の軸方向長さが嵩むと、前記サポート（或はキャリパ）のうちでこれら両ガイド孔を設けた部分の軸方向寸法が嵩み、小型・軽量化の面から不利になる。又、これら両ガイド孔の内周面に、平滑化等の為に行う仕上加工に要する時間が長くなり、低コスト化の面から不利になる。
【０００７】
更に、防錆性の面から不利になる理由は、有底でしかも深いガイド孔の場合、このガイド孔の奥部内周面を、防錆の為のメッキ層により覆う事が難しい為である。そして、このガイド孔の奥部内周面が防錆の為のメッキ層により覆われないと、この奥部内周面が、フローティングキャリパ型ディスクブレーキの組立完了前（前記ガイド孔にガイドピンを挿入する以前）に錆びる可能性がある。そして、錆びた場合には、前記サポートに対する前記キャリパの軸方向変位が円滑に行われなくなる。
【０００８】
【特許文献１】特開平７−１３９５６５号公報
【特許文献２】特開２００６−２０７７２２号公報
【特許文献３】特開２００８−１６９９６１号公報
【特許文献４】特開２００８−１１１４９６号公報
【特許文献５】特開昭５５−３３９９５号公報
【特許文献６】特開平８−４９７３６号公報
【発明の開示】
【発明が解決しようとする課題】
【０００９】
本発明は、上述の様な事情に鑑み、サポートに対してキャリパを軸方向の変位を可能に支持する為の構造を工夫する事により、小型・軽量且つ低コストで造れるフローティングキャリパ型ディスクブレーキを実現すべく発明したものである。
【課題を解決するための手段】
【００１０】
本発明のフローティングキャリパ型ディスクブレーキは、前述した従来から知られているフローティングキャリパ型ディスクブレーキと同様に、ロータと、サポートと、インナパッドと、一対のガイドピンと、キャリパと、アウタパッドとを備える。
このうちのロータは、車輪と共に回転する。
又、前記サポートは、前記ロータのインナ側面に対向する状態で車体に固定される。
又、前記インナパッドは、軸方向の変位を可能として、前記サポートに支持されている。
又、前記両ガイドピンは、前記サポートの回入側と回出側とに、それぞれインナ側に突出する状態で設けられている。
又、前記キャリパは、回入側と回出側とに突出した一対のガイド腕部の先端部と前記両ガイドピンとを軸方向の変位を可能に係合させる事により前記サポートに、軸方向の変位を可能に支持されている。
又、前記アウタパッドは、前記ロータを挟んで前記インナパッドと対向する部分に、軸方向の変位を可能に支持されている。
【００１１】
特に、本発明のフローティングキャリパ型ディスクブレーキに於いては、前記両ガイド腕部の先端部にそれぞれ、軸方向両側面に加えてこの軸方向に対し直角方向にも開口するガイド凹部を形成している。
そして、前記両ガイド腕部のガイド凹部に前記両ガイドピンの軸方向の一部を、軸方向の変位を可能に内嵌している。
【００１２】
上述の様な本発明を実施する場合に好ましくは、請求項２に記載した発明の様に、前記両ガイド凹部に、それぞれが弾性及び耐食性を有する板材製である一対のパッドクリップを装着する。そして、前記両ガイド凹部と前記両ガイドピンとを、これら両パッドクリップを介して係合させる。
【００１３】
或は、請求項３に記載した発明の様に、前記キャリパの回入側と回出側とに、それぞれアウタ側に突出する状態で一対のアンカピンを設ける。そして、これら両アンカピンの先端寄り部分と、前記アウタパッドの回入側、回出側両端部に形成したガイド切り欠きとを、軸方向の変位を可能に係合させる。この場合に好ましくは、前記アウタパッドを、前記キャリパのアウタ側端部に結合固定する。
【００１４】
そして、この様な請求項３に記載した発明を実施する場合に好ましくは、請求項４に記載した発明の様に、前記両ガイドピンと前記両アンカピンとを、同軸且つ互いに一体とする。そして、これら両ガイドピンと両アンカピンとの連続部に形成された雄ねじ部を前記サポートの回入側と回出側とに設けたねじ孔に螺合し更に締め付ける事により、前記両ガイドピン及び前記両アンカピンを前記サポートに固定する。
【００１５】
又、前述の様な本発明を実施する場合に好ましくは、請求項５に記載した発明の様に、前記アウタパッドを構成するプレッシャプレートを前記キャリパのアウタ側端部に結合固定する。そして、このアウタパッドに基端部を係止した第二のパッドクリップの先端部により、前記インナパッドの外径側端縁を弾性的に押圧する。
【発明の効果】
【００１６】
上述の様に構成する本発明によれば、小型・軽量且つ低コストで造れるフローティングキャリパ型ディスクブレーキを実現できる。
先ず、小型・軽量化は、両ガイド腕部の先端部に形成するガイド凹部の軸方向長さを大きくする必要がない事で達成できる。即ち、本発明の構造の場合には、前記両ガイド凹部に対して両ガイドピンを、これら両ガイド凹部の軸方向両側に突出する状態で内嵌する。この為、これら両ガイド凹部の軸方向長さが短くても、サポートに対してキャリパを安定した状態で、しかも、軸方向の変位量を十分に確保した状態で支持できる。この為、前記両ガイド腕部の先端部の軸方向に関する寸法を小さく抑えて、小型・軽量化を図れる。又、前記両ガイド凹部の軸方向寸法を抑える事で、これら両ガイド凹部の内面の仕上加工に要する手間を軽減して、低コスト化を図れる。
【００１７】
更に、低コスト化は、ブーツ等のシール構造物が不要になる事でも図れる。即ち、前記両ガイド凹部は、軸方向両側面だけでなく、軸方向に対し直角方向にも開口している為、これら両ガイド凹部内に入り込んだ異物は、これら両ガイド凹部から外に排出され易く、これら両ガイド凹部内に止まりにくい。この為、前記異物自体が、これら両ガイド凹部に対する前記両ガイドピンの軸方向変位（前記サポートに対する前記キャリパの軸方向変位）を妨げる要因とはなりにくい。又、仮に、前記両ガイド凹部の内面等に付着した前記異物により、これら両ガイド凹部の内面と前記両ガイドピンの外周面とが錆び付いたり、粘着性を有する異物が付着したとしても、錆び付きや粘着の面積は僅少に止まる。この為、仮に錆び付いたり、粘着したりしても、制動時に前記サポートと前記キャリパとの間に加わる力によってこの錆び付き或は粘着部分が剥離し、このサポートに対しこのキャリパを軸方向に変位させられる。
特に、請求項２に記載した発明の様に、前記両ガイド凹部にパッドクリップを装着すれば、これら両ガイド凹部と前記両ガイドピンとの錆び付きを抑えて、前記サポートに対する前記キャリパの軸方向変位を、より確実に保証できる。同時に、これらサポートとキャリパとの係合部ががたつく事を防止できる。
【００１８】
又、請求項３に記載した発明の様に、一対のアンカピンによりアウタパッドを支持する構造を採用すれば、このアウタパッドを支持する部分の構造を簡略化して、より一層の小型・軽量化を図れる。特に、前記アウタパッドを前記キャリパのアウタ側端部に固定すれば、このキャリパの回入側及び回出側を、それぞれ軸方向に離隔した２箇所位置ずつで支持して、このキャリパの姿勢をより安定させられる。
この場合に、請求項４に記載した発明の様に、互いに一体とした前記両ガイドピンと前記両アンカピンとを、前記サポートの回入側と回出側とにねじ止め固定すれば、このサポートに対するこれら両ガイドピン及び両アンカピンの固定作業が容易になる。
更に、請求項５に記載した発明の様に、前記キャリパのアウタ側端部に前記アウタパッドを固定すれば、このキャリパの小型・軽量化と、このキャリパに対するこのアウタパッドのがたつき防止とを図れる。そして、このアウタパッドに基端部を係止した第二のパッドクリップの先端部により前記インナパッドの外径側端縁を弾性的に押圧する事で、このインナパッドと前記キャリパとの間のがたつき防止も図れる。
【発明を実施するための最良の形態】
【００１９】
［実施の形態の第１例］
図１〜８は、全請求項に対応する、本発明の実施の形態の第１例を示している。本例のフローティングキャリパ型ディスクブレーキは、車輪と共に回転するロータ１０に隣接して車体に固定されるサポート３ａに、一対のガイドピン５ａ、５ａを介してキャリパ４ａを、一対のアンカピン１３、１３を介してインナパッド８ａ及びアウタパッド９ａを、それぞれ軸方向（図２、３、６の表裏方向、図４の上下方向、図５の左右方向）に変位可能に支持している。
【００２０】
前記両ガイドピン５ａ、５ａと前記両アンカピン１３、１３とは、互いに同心に、且つ一体に造られている。そして、このうちのガイドピン５ａ、５ａとアンカピン１３、１３との連続部に、ガイドピン５ａ、５ａ側から順番に、外向鍔部１４と雄ねじ部１５とを、一体に設けている。又、これら両ガイドピン５ａ、５ａの先端部であるインナ側端部に、断面形状が非円形（図示の例では正六角形）である係止部１６を形成している。この係止部１６の外接円の直径は、前記ガイドピン５ａ、５ａの本体部分（後述するガイド凹部１８、１８と係合する部分）の外径以下である。この様なアンカピン１３、１３一体型のガイドピン５ａ、５ａは、前記サポート３ａの回入側と回出側とに設けたねじ孔に、前記両アンカピン側１３、１３を先にして、インナ側からアウタ側に挿入している。そして、前記雄ねじ部１５を前記ねじ孔に螺合し、更に締め付ける事で、前記サポート３ａに、前記ロータ１０の中心軸と平行に固定している。この締め付け作業の際、前記係止部１６に、スパナ、ボックスレンチ等の、工具を係止する。締め付け完了の状態で、前記外向鍔部１４のアウタ側面と前記サポート３ａのインナ側面とが突き当たる。
【００２１】
上述の様にして前記サポート３ａに固定した前記両ガイドピン５ａ、５ａを利用して前記キャリパ４ａを、本例の特徴である構造により、軸方向に変位可能に支持している。この為に本例の構造では、前記キャリパ４ａの周方向両側面に一対のガイド腕部１７、１７を、それぞれ回入側と回出側とに向け、周方向に突出する状態で形成している。これら両ガイド腕部１７、１７の先端部にそれぞれ、ガイド凹部１８、１８を形成している。これら両ガイド凹部１８、１８は、軸方向に見た形状が、図２に示す様に略矩形であり、前記両ガイド腕部１７、１７の先端部の軸方向両側面に加えて、この軸方向に対し直角方向である、周方向（これら両ガイド腕部１７、１７の先端面）にも開口している。前記両ガイド凹部１８、１８の、軸方向に関する幅寸法Ｗ18は、前記両ガイドピン５ａ、５ａの有効長さ（これら両ガイド凹部１８、１８を案内できる部分の軸方向長さ）Ｌ5 よりも十分に小さい（Ｗ18≪Ｌ5 ）。
【００２２】
そして、前記両ガイド腕部１７、１７のガイド凹部１８、１８に前記両ガイドピン５ａ、５ａの軸方向の一部を、それぞれパッドクリップ１９、１９を介して、軸方向の変位を可能に内嵌している。これら両パッドクリップ１９、１９はそれぞれ、ステンレスのばね鋼板等の、弾性及び耐食性を有する板材である素材に、適宜の打ち抜き加工及び曲げ加工を施す事により、図７に示す様な形状としている。造られたパッドクリップ１９、１９は、両ガイドピン５ａ、５ａをほぼ隙間なく内嵌可能な、略コ字形の基部２０、２０と、この基部２０、２０の一端側｛径方向内側で、図２及び図７の（Ａ）の下側｝からこの基部２０、２０の内側に折り返された弾性押圧部２１、２１と、この基部２０、２０の他端側｛径方向外側で、図２及び図７の（Ａ）の上側｝からこの基部２０、２０の外側に折り返された抑え部２２、２２とを備える。又、この基部２０、２０の他端寄り部分の両側縁と、前記弾性押圧部２１、２１の先端寄り部分の両側縁との、合計４箇所位置に係止舌片２３ａ、２３ｂを、それぞれ前記基部２０、２０の外側に突出する状態で形成している。このうちの係止舌片２３ｂ、２３ｂが、前記両パッドクリップ１９、１９の内側に前記両ガイドピン５ａ、５ａを挿入する際のガイドとして機能する。更に、前記抑え部２２、２２の先端寄り部分に、前記基部２０、２０に向けて、噛合舌片２４、２４を形成している。
【００２３】
それぞれが上述の様な構成を有する、前記両パッドクリップ１９、１９は、それぞれ前記両ガイド凹部１８、１８内に装着する。この状態で、前記噛合舌片２４、２４が前記両ガイド腕部１７、１７の先端部外径側側面に噛合して、前記両パッドクリップ１９、１９が前記両ガイド凹部１８、１８から不用意に抜け出る事を防止する。そこで、前記両パッドクリップ１９、１９の内側に、前記両ガイドピン５ａ、５ａの中間部を組み付ける（内嵌する）。この状態で、前記弾性押圧部２１、２１がこれら両ガイドピン５ａ、５ａの外周面を弾性的に押圧し、これら両ガイドピン５ａ、５ａが前記両ガイド凹部１８、１８内でがたつく事を防止する。又、前記各係止舌片２３ａ、２３ａが、前記両ガイド腕部１７、１７の先端部軸方向両側面と係合して、前記両パッドクリップ１９、１９が前記両ガイド凹部１８、１８から軸方向に抜け出る事を防止する。この状態で前記キャリパ４ａが前記サポート３ａに対し、軸方向に変位可能に支持される。尚、実際にこのキャリパ４ａをこのサポート３ａに組み付けるのに本例の場合には、先ず、前記両パッドクリップ１９、１９及び前記両ガイドピン５ａ、５ａを、前記両ガイド凹部１８、１８部分に組み付ける。その後、前記雄ねじ部１５、１５を前記ねじ孔に螺合し更に締め付けて、前記両ガイドピン５ａ、５ａを前記サポート３ａに組み付ける。
【００２４】
この様にしてサポート３ａに支持した、前記キャリパ４ａは、インナ側部分に設けたシリンダ部６ａからアウタ側に向けて連結部２５を、前記ロータ１０を跨ぐ状態で設けている。本例の場合、この連結部２５を二股状としている。そして、この連結部２５のアウタ側端面に、前記アウタパッド９ａを構成するプレッシャプレート２６ａの径方向外端寄り部分を、一対のボルト２７、２７により結合固定している。このプレッシャプレート２６ａのうちで前記連結部２５よりも径方向内側部分のインナ側面にはライニング２８ａを添着固定して、前記アウタパッド９ａを構成している。
【００２５】
又、前記プレッシャプレート２６ａのうちで、回入側、回出側両端縁部に、それぞれガイド切り欠き２９、２９を形成し、これら両ガイド切り欠き２９、２９に、前記両アンカピン１３、１３の中間部先端寄り部分を、軸方向の変位を可能に係合させている。前記両ガイド切り欠き２９、２９の奥端面は、凸部分円筒面としており、前記両アンカピン１３、１３の先端部（アウタ側端部）の外周面の互いに対向する部分は、前記凸部分円筒面である奥端面と、当接若しくは近接対向している。尚、上記プレッシャプレート２６ａの、回入側、回出側両端部にガイド通孔を形成し、これら両ガイド通孔に、前記両アンカピン１３、１３の中間部先端寄り部分を挿通する事もできる。
【００２６】
又、前記両アンカピン１３、１３の中間部基端寄り部分に、前記インナパッド８ａを、軸方向の変位を可能に支持している。この為に、インナパッド８ａを構成するプレッシャプレート２６ｂの回入側、回出側両端部でライニング２８ｂよりも周方向に突出した部分に係止孔３０、３０を形成し、これら両係止孔３０、３０に、前記両アンカピン１３、１３の中間部基端寄り部分を、軸方向の変位を可能に挿通している。これら両アンカピン１３、１３の中間部基端寄り部分の外周面と、前記両係止孔３０、３０の周方向両内側縁とは、当接若しくは近接対向している。尚、実際に前記インナパッド８ａを前記両アンカピン１３、１３の基端部同士の間に支持する作業は、前記アウタパッド９ａをこれら両アンカピン１３、１３の先端部同士の間に支持するのに先立って行う。
【００２７】
更に、前記アウタパッド９ａと前記インナパッド８ａとの間に第二のパッドクリップ３１を掛け渡して、前記サポート３ａに対する、これら両パッド９ａ、８ａ及び前記キャリパ４ａのがたつきを防止している。前記第二のパッドクリップ３１は、ステンレスのばね鋼等の弾性金属板を曲げ形成して成るもので、図８に詳示する様に、大略コ字形の基部３２と、この基部３２のインナ側端部からインナ側に折れ曲がった弾性抑え部３３とを備える。又、この基部３２のインナ側板部に、係止孔３４を形成している。この様な第二のパッドクリップ３１は、前記基部３２を前記アウタパッド９ａのプレッシャプレート２６ａの径方向外端縁部に外嵌すると共に、前記係止孔３４に、このプレッシャプレート２６ａのインナ側面に突設した係止突起３５を係合させる。必要に応じて、この係止突起３５の先端部をかしめ拡げても良い。
【００２８】
何れにしても、上記基部３２を前記アウタパッド９ａのプレッシャプレート２６ａの径方向外端縁部に支持固定した状態で、前記弾性抑え部３３の先端部（インナ側端部）を前記インナパッド８ａを構成するプレッシャプレート２６ｂの外径側端縁に弾性的に当接させている。この結果、前記インナパッド８ａには径方向内方に向いた力が加わり、前記プレッシャプレート２６ｂに形成した前記両係止孔３０、３０の内面が、前記サポート３ａに固定された、前記両アンカピン１３、１３の中間部基端寄り部分の外径側側面に押し付けられる。同時にこの反作用として、前記アウタパッド９ａ及びこのアウタパッド９ａを固定した前記キャリパ４ａに径方向外方に向いた力が加わり、その結果、前記プレッシャプレート２６ａに形成した前記両ガイド切り欠き２９、２９の内面が、前記両アンカピン１３、１３の中間部先端寄り部分の内径側側面に押し付けられる。この結果、前記両パッド９ａ、８ａ及び前記キャリパ４ａが、前記サポート３ａに対しがたつかなくなる。
【００２９】
上述の様に構成する本例のフローティングキャリパ型ディスクブレーキにより制動を行う場合には、前記キャリパ４ａのインナ側端面に設けたコネクタ３６を通じて、前記シリンダ部６ａ内に油圧を導入し、このシリンダ部６ａ内に嵌装したピストン３７（図３、５、６参照）を押し出す。この押し出しに伴って前記インナパッド８ａを前記ロータ１０のインナ側面に押し付けると同時に、前記キャリパ４ａをインナ側に変位させて、前記アウタパッド９ａを前記ロータ１０のアウタ側面に押し付ける。この結果、このロータ１０が両側から挟持されて、制動が行われる。この制動に伴って前記インナパッド８ａ及び前記アウタパッド９ａに加わった制動トルクは、前記両アンカピン１３、１３により支承する。支承の機構は特に問わないが、本例の場合には、前記アウタパッド９ａに関しては、回出側のアンカピン１３のみが支承する、所謂押しアンカとなる。これに対して、前記インナパッド８ａに関しては、制動トルクが小さい場合には回入側のアンカピン１３のみが支承する、所謂引きアンカとなり、同じく大きい場合には回入側に加えて回出側のアンカピン１３もが支承する、所謂押し引きアンカとなる。尚、上記アウタパッド９ａに関しても、プレッシャプレート２６ａの両端部にガイド通孔を形成した構造を採用すれば、引きアンカの機能も併せ持たせる事ができる。
【００３０】
制動開始及び制動解除に伴って、前記キャリパ４ａが前記サポート３ａに対し軸方向に変位するが、この変位は、前記両ガイドピン５ａ、５ａに対して前記両ガイド腕部１７、１７のガイド凹部１８、１８が変位する事により許容する。これら両ガイド凹部１８、１８の内面と前記両ガイドピン５ａ、５ａの外周面との間には、それぞれ前記パッドクリップ１９、１９を装着している為、前記軸方向の変位は、がたつきなく、しかも円滑に行われる。
【００３１】
上述の様に構成する本例のフローティングキャリパ型ディスクブレーキは、次の様な理由により、小型・軽量且つ低コストで造れる。即ち、本例の構造の場合には、前記両ガイド凹部１８、１８に対して前記両ガイドピン５ａ、５ａを、これら両ガイド凹部１８、１８の軸方向両側に突出する状態で内嵌している。この為、前記両ガイドピン５ａ、５ａの長さ寸法さえ確保すれば、前記サポート３ａに対する前記キャリパ４ａの変位量を確保できる。言い換えれば、前記両ガイド凹部１８、１８の軸方向長さが短くても、前記サポート３ａに対して前記キャリパ４ａを、安定した状態で、しかも、軸方向の変位量を十分に確保した状態で支持できる。この為、前記両ガイド腕部１７、１７の先端部の軸方向に関する寸法を小さく抑えて、小型・軽量化を図れる。又、前記両ガイド凹部１８、１８の軸方向寸法を抑える事で、これら両ガイド凹部１８、１８の内面の仕上加工に要する手間を軽減して、低コスト化を図れる。又、本例の構造の場合には、前記サポート３ａと前記キャリパ４ａとを、回入側と回出側とのそれぞれの部分で、前記両ガイド凹部１８、１８と前記両ガイドピン５ａ、５ａとの係合部と、前記両アンカピン１３、１３と前記両ガイド切り欠き２９、２９との係合部との２箇所位置ずつで（合計４箇所で）係合させている。従って、前記両ガイド凹部１８、１８と前記両ガイドピン５ａ、５ａとの係合部の軸方向長さが短くても、前記キャリパ４ａの姿勢を十分に安定させられる。
【００３２】
又、本例の構造の場合には、前記両アンカピン１３、１３により前記アウタパッド９ａを支持する構造を採用しているので、このアウタパッド９ａを支持する部分の構造を簡略化して、より一層の小型・軽量化を図れる。しかも本例の構造の場合には、前記両ガイドピン５ａ、５ａと前記両アンカピン１３、１３とを互いに同心且つ一体とし、これら両ガイドピン５ａ、５ａ及び両アンカピン１３、１３を前記サポート３ａの回入側と回出側とにねじ止め固定しているので、このサポート３ａに対する前記両ガイドピン５ａ、５ａ及び前記両アンカピン１３、１３の固定作業を容易に行えて、低コスト化を図れる。
【００３３】
又、本例の構造の場合には、前記キャリパ４ａのアウタ側端部に前記アウタパッド９ａを構成するプレッシャプレート２６ａを直接固定し、前述の図１４〜１５に示した従来構造の様なキャリパ爪７を省略している。この為、その分、前記キャリパ４ａの小型・軽量化と、このキャリパ４ａに対する前記アウタパッド９ａのがたつき防止とを図れる。更に本例の場合には、前記第二のパッドクリップ３１を設けている為、前記サポート３ａに対する、前記両パッド８ａ、９ａ及び前記キャリパ４ａのがたつきも、有効に抑えられる。
【００３４】
又、本例の構造の場合には、前記両ガイドピン５ａ、５ａと前記両ガイド腕部１７、１７との間に、ブーツ等のシール構造物を設けない分、低コスト化を図れる。即ち、前記両ガイドピン５ａ、５ａの軸方向中間部を内嵌した前記両ガイド凹部１８、１８は、軸方向両側面だけでなく、軸方向に対し直角方向である、回入側或いは回出側にも開口している。要するに、前記両ガイドピン５ａ、５ａの軸方向中間部で前記両ガイド凹部１８、１８に嵌合した部分は、全周囲まれてはいない（三方のみ囲まれて側方に開口している）。この為、これら両ガイド凹部１８、１８内に入り込んだ異物は、これら両ガイド凹部１８、１８から外に排出され易く、これら両ガイド凹部１８、１８内に止まりにくい。この為、前記異物自体が、これら両ガイド凹部１８、１８に対する前記両ガイドピン５ａ、５ａの軸方向変位を妨げる要因とはなりにくい。
【００３５】
又、仮に、前記両ガイド凹部１８、１８の内面や前記両ガイドピン５ａ、５ａの外周面等に付着した前記異物により、これら両ガイド凹部１８、１８の内面と両ガイドピン５ａ、５ａの外周面とが錆び付いたり、粘着性を有する異物が付着しとしても、錆び付きや粘着の面積は僅少に止まる。特に本例の構造の場合には、前記両ガイド凹部１８、１８の内面形状を略矩形としている為、これら両ガイド凹部１８、１８の内面と、円筒状の外周面を有する前記両ガイドピン５ａ、５ａの外周面との接触面積を小さく抑えられる。この為、前記付着や錆び付きが生じたとしても、前記両ガイド凹部１８、１８の内面と前記両ガイドピン５ａ、５ａの外周面との接着（粘着或いは錆び付き）強度は低く抑えられる。この為、仮に錆び付いたり、粘着したりしても、制動時に、前記ピストン３７の押し出しに伴って、前記サポート３ａと前記キャリパ４ａとの間に加わる力によって、前記錆び付き或は粘着部分が剥離し、このサポート３ａに対し前記キャリパ４ａを軸方向に変位させられる。しかも本例の構造の場合には、前記両ガイド凹部１８、１８に前記両パッドクリップ１９、１９を装着しているので、これら両ガイド凹部１８、１８と前記両ガイドピン５ａ、５ａとの錆び付きを抑えられる。従って、前記サポート３ａに対する前記キャリパ４ａの軸方向変位を、より確実に保証できる。
【００３６】
［実施の形態の第２例］
図９は、請求項１、３〜５に対応する、本発明の実施の形態の第１例を示している。本例の場合には、キャリパ４ａのガイド腕部１７、１７の先端部に設けたガイド凹部１８ａ、１８ａの奥半部の形状を、奥部に向かうに従って径方向の幅が狭くなる、Ｖ字形としている。そして、前記両ガイド凹部１８ａ、１８ａと一対のガイドピン５ａ、５ａとのうち、一方（図９の左方）のガイド凹部１８ａとガイドピン５ａとの間部分にのみ、パッドクリップ１９ａを設けている。このパッドクリップ１９ａは、前記ガイドピン５ａを前記ガイド凹部１８ａから押し出す方向の弾力を有する。
【００３７】
この様な本例の構造では、前記パッドクリップ１９ａの弾力により、このパッドクリップ１９ａを設けた側（図９の左側）の、前記ガイド凹部１８ａと前記ガイドピン５ａとの係合部のがたつきを防止できるだけでなく、設けていない側（図９の右側）のガイド凹部１８ａとガイドピン５ａとの係合部のがたつきも防止できる。即ち、この設けていない側の係合部に就いても、前記パッドクリップ１９ａの弾力により、前記ガイドピン５ａの外周面と前記ガイド凹部１８ａの内面とが隙間なく当接し、上記がたつきの防止を図れる。この為、部品点数の削減によるコスト低減を図れる。前記パッドクリップ１９ａを設けていない側の係合部が、錆び付き、粘着等により付着しても、制動時に簡単に剥離する為、制動不良を生じる事はない。
その他の部分の構造及び作用は、前述した実施の形態の第１例と同様であるから、同等部分に関する図示並びに説明は省略する。
【００３８】
［実施の形態の第３例］
図１０は、全請求項に対応する、本発明の実施の形態の第３例を示している。本例の場合には、キャリパ４ａに設けた一対のガイド腕部１７、１７のうち、一方（図１０の左方）のガイド腕部１７の中間部先端寄り部分にガイド凹部１８ｂを、外径側側面に開口する状態で形成している。これに対して他方（図１０の右方）のガイド腕部１７の中間部先端寄り部分にガイド凹部１８ｂを、内径側側面に開口する状態で形成している。そして、これら両ガイド凹部１８ｂ、１８ｂに内嵌したガイドピン５ａ、５ａをパッドクリップ１９ｂ、１９ｂにより、これら両ガイド凹部１８ｂ、１８ｂからの抜け止めを図りつつ、これら両ガイド凹部１８ｂ、１８ｂの奥部に向け、弾性的に押圧している。
【００３９】
この様な本例の構造によれば、制動時に両パッドから前記キャリパ４ａに伝わった制動トルクの一部を、回入側のガイドピン５ａにより支承できる。言い換えれば、この回入側のガイドピン５ａを、所謂引きアンカとして利用できる。この為、前記両パッドからアンカピンに伝わる制動トルクを低減して、このアンカピンの強度及び剛性確保の面から有利になる。
【００４０】
又、本例の構造の場合には、前記両パッドクリップ１９ｂ、１９ｂにより前記キャリパ４ａに付与するモーメントの方向は、前進状態での制動時に、各パッドとロータとの摩擦に伴って前記キャリパ４ａに加わるモーメントの方向と一致させている。従って本例の構造によれば、制動開始時に前記キャリパ４ａが、回転方向に変位する事を防止できて、このキャリパ４ａとサポート３ａの一部とが勢い良く衝突する事を防止でき、不快な振動や異音が発生する事を防止できる。
その他の部分の構造及び作用は、前述した実施の形態の第１例と同様であるから、同等部分に関する図示並びに説明は省略する。
【００４１】
［実施の形態の第４〜５例］
図１１〜１２は、請求項１、３〜５に対応する、本発明の実施の形態の第４〜５例を示している。前述の図１〜８に示した実施の形態の第１例、及び、前述の図９に示した実施の形態の第２例は、１乃至２個のパッドクリップ１９、１９ａを設けていた。これに対して、これら第４〜５例の場合には、パッドクリップを省略して第二のパッドクリップ３１（図１〜４参照）のみで、各部のがたつきを防止する事を意図している。この為、部品点数の低減によるコスト低減を、より十分に図れる。
その他の部分の構造及び作用は、前述した実施の形態の第１〜２例と同様であるから、同等部分に関する図示並びに説明は省略する。
【産業上の利用可能性】
【００４２】
本発明は、図示の実施の形態に示す様な、キャリパに対してアウタパッドのプレッシャプレートを直接固定する様な構造に限らずに実施できる。即ち、前述の図１４〜１５に示す様な、サポートに支持したアウタパッドを、キャリパに設けたキャリパ爪により押圧する構造に関して、本発明を適用する事もできる。
【００４３】
又、ガイドピンの断面形状やガイド腕部１７の先端部に設けるガイド凹部の形状に関しても、適宜変更して実施する事もできる。例えば、図１３の（Ａ）に示す様に、ガイドピン５ｂの断面形状を正方形とする事もできる。この場合には、このガイドピン５ｂをガイド凹部１８に係合させた状態で、このガイドピン５ｂを回転させる事はできない。そこで、図１３の（Ａ）に示した構造を実施する場合には、例えば、前記ガイドピン５ｂをサポート３ａに圧入するか、かしめ等にて固定する。
【００４４】
又、ガイド凹部の凹部の形状に関しても、図１３の（Ｂ）に示す様に、奥面中央部に凸部を設けたガイド凹部１８ｃとしたり、（Ｃ）に示す様に、奥面がガイドピン５ａの外周面よりも曲率半径が大きい凹部分円筒面であるガイド凹部１８ｄとする事もできる。
【図面の簡単な説明】
【００４５】
【図１】本発明の実施の形態の１例を、インナ側且つ径方向外側から見た状態で示す斜視図。
【図２】図１のＸ矢印方向であるインナ側から見た状態で示す正投影図。
【図３】図２と逆側であるアウタ側から見た状態で示す正投影図。
【図４】図２の上側である径方向外側から見た状態で示す正投影図。
【図５】図３の右側である周方向から見た状態で示す正投影図。
【図６】アウタパッドを省略して図３と同方向から見た正投影図。
【図７】パッドクリップを示す、（Ａ）は図２と同方向から見た、（Ｂ）は図４と同方向から見た、（Ｃ）は図５と同方向から見た、それぞれ正投影図。
【図８】第二のパッドクリップを示す、（Ａ）は図５と同方向から見た、（Ｂ）は図２と同方向から見た、それぞれ正投影図。
【図９】本発明の実施の形態の第２例を、一部を省略して図２と同方向から見た正投影図。
【図１０】同第３例を示す、図９と同様の図。
【図１１】同第４例を示す、図９と同様の図。
【図１２】同第５例を示す、図９と同様の図。
【図１３】ガイドピンとガイド凹部との別形状の３例を示す部分断面図。
【図１４】従来構造の１例を、インナ側且つ径方向外側から見た状態で示す斜視図。
【図１５】同じくアウタ側且つ径方向内側から見た状態で示す斜視図。
【符号の説明】
【００４６】
１    サポートプレート
２    アンカブロック
３、３ａ  サポート
４、４ａ  キャリパ
５、５ａ、５ｂ  ガイドピン
６、６ａ  シリンダ部
７    キャリパ爪
８、８ａ  インナパッド
９、９ａ  アウタパッド
１０    ロータ
１１    ブーツ
１２ａ、１２ｂ  ライニング
１３    アンカピン
１４    外向鍔部
１５    雄ねじ部
１６    係止部
１７    ガイド腕部
１８、１８ａ、１８ｂ、１８ｃ、１８ｄ  ガイド凹部
１９、１９ａ、１９ｂ  パッドクリップ
２０    基部
２１    弾性押圧部
２２    抑え部
２３ａ、２３ｂ  係止舌片
２４    噛合舌片
２５    連結部
２６ａ、２６ｂ  プレッシャプレート
２７    ボルト
２８ａ、２８ｂ  ライニング
２９    ガイド切り欠き
３０    係止孔
３１    第二のパッドクリップ
３２    基部
３３    弾性抑え部
３４    係止孔
３５    係止突起
３６    コネクタ
３７    ピストン
【図１】
2010127326.tif 000003
【図２】
2010127326.tif 000004
【図３】
2010127326.tif 000005
【図４】
2010127326.tif 000006
【図５】
2010127326.tif 000007
【図６】
2010127326.tif 000008
【図７】
2010127326.tif 000009
【図８】
2010127326.tif 000010
【図９】
2010127326.tif 000011
【図１０】
2010127326.tif 000012
【図１１】
2010127326.tif 000013
【図１２】
2010127326.tif 000014
【図１３】
2010127326.tif 000015
【図１４】
2010127326.tif 000016
【図１５】
2010127326.tif 000017